(57)【要約】【課題】  テレビにアンテナ線を接続すると、設置性を損ねてしまう。【解決手段】  テレビ受像機のチューナ部とモニタ部を分離し、チューナ部からモニタ部に映像と音声信号を伝送するとともに、チューナ部とモニタ部の間で制御データのやり取りを行い、双方の動作状態のずれをなくすようにする。これにより、分離したチューナ部にアンテナ線を接続して選局し、その選局した映像と音声信号をモニタ部にワイヤレス伝送して映像と音声信号を再生できる。  【選択図】  図１
2004350328.tif 000002
【特許請求の範囲】
【請求項１】
チューナ部とモニタ部を設けた映像及び音声再生装置に使用されるチューナ部であって、モニタ部から発信されたデータを受信する手段と、前記データに応じて放送波を選局する手段と、選局処理が終了したことを示すデータと前記選局された映像及び音声信号を発信する手段とを備えることを特徴とするチューナ部。
【請求項２】
請求項１記載のチューナ部において、表示手段を設け、前記モニタ部からのデータを受信した場合、前記表示手段によって表示することを特徴とするチューナ部。
【請求項３】
請求項１記載のチューナ部において、前記モニタ部から発信され前記データに基づいて、外部装置を制御するための信号を出力する出力部を設けることを特徴とするチューナ部。
【請求項４】
請求項１記載のチューナ部において、前記データを映像信号に重畳して発信することを特徴とするチューナ部。
【請求項５】
チューナ部とモニタ部を備えた映像及び音声再生装置に使用されるモニタ部であって、リモコンから発信されたデータを受信する手段と、前記データを前記チューナ部に発信する手段と、前記チューナ部から発信された映像信号、音声信号及びデータ信号を受信する手段と、前記映像信号及び音声信号を再生する手段とを備えることを特徴とするモニタ部。
【請求項６】
請求項５記載のモニタ部において、 ＯＳＤ発生回路を設け、前記データに基づいてＯＳＤ発生回路を制御して表示することを特徴とするモニタ部。
【請求項７】
モニタ部から発信されたデータを受信する手段、前記データに応じて放送波を選局する手段、選局処理が終了したことを示すデータと前記選局された映像及び音声信号を発信する手段を有するチューナ部と リモコンから発信されたデータを受信する手段、リモコンから発信された前記データを前記チューナ部に発信する手段、前記チューナ部から発信された前記選局処理が終了したことを示すデータ、前記映像信号及び前記音声信号を受信する
手段、前記映像信号及び前記音声信号を再生する手段を有するモニタ部と、 を備えることを特徴とする映像及び音声再生装置。
【請求項８】
放送波を受信し、選局した映像信号と音声信号を送信することができる選局部と、前記選局部から送信された映像信号と音声信号とを受信して再生することができる再生部とを備え、前記選局部と前記再生部間でデータの授受が行なわれ、前記選局部での動作の状態を確認して前記再生部で前記映像信号と前記音声信号を再生することを特徴とする映像及び音声再生装置。
【請求項９】
放送波を受信し、映像信号と音声信号を無線で送信することができる映像及び音声送信手段と、前記映像及び音声送信手段の信号を受信し、送信された前記映像信号と前記音声信号を再生する映像及び音声再生手段と、前記映像及び音声再生手段を遠隔操作する遠隔操作手段とを備え、前記映像及び音声再生手段は前記遠隔操作手段からの指示を受け、前記映像及び音声送信手段と前記映像及び音声再生手段の間で制御データの授受を行い、前記映像及び音声再生手段は前記映像及び音声送信手段との動作状態を確認して前映像信号と前記音声信号を再生することを特徴とする映像及び音声再生装置。
【請求項１０】
請求項９記載の映像及び音声再生装置において、前記映像及び音声再生手段は前記遠隔操作手段からの選局変更指示を受けたのち前記映像及び音声送信手段に前記選局変更指示を伝達し、前記映像及び音声送信手段から選局変更完了の返答を得た後で、前記映像及び音声再生手段のＯＳＤ発生手段を制御して表示を行うことを特徴とする映像及び音声再生装置。
【請求項１１】
放送波を受信し、映像信号と音声信号とを無線で送信する映像及び音声送信手段と、前記映像及び音声送信手段の信号を受信し、前記映像信号と前記音声信号を再生する映像及び音声再生手段とを備え、前記映像及び音声送信手段と前記映像及び音声再生手段が相互に互いの動作状態を確認するために、前記映像及び音声送信手段と前記映像及び音声再生手段の間で授受を行う制御データの内、前記映像及び音声送信手段から前記映像及び音声再生手段に送る制御データを、前記映像及び音声送信手段から送信する映像信号の帰線期間に重畳して送信することを特徴とする映像及び音声再生装置。
【請求項１２】
放送波を受信し、映像信号と音声信号とを無線で送信する映像及び音声送信手段と、前記映像及び音声送信手段の信号を受信し、前記映像信号と前記音声信号を再生する映像及び音声再生手段と、前記映像及び音声送信手段と前記映像及び音声再生手段が相互に互いの動作状態を確認するために前記映像及び音声送信手段と前記映像及び音声再生手段の間で制御データの授受を行う手段と、前記映像及び音声送信手段に設けられた表示手段とを備え、前記制御データの授受に基づいて、前記映像及び音声送信手段と前記映像及び音声再生手段との間の接続状態を前記表示手段に表示することを特徴とする映像及び音声再生装置。
【請求項１３】
放送波を受信し、映像と音声を無線で送信する映像及び音声送信手段と、前記映像及び音声送信手段の信号を受信し、前記映像前記映像及び音声送信手段と前記音声前記映像及び音声送信手段を再生する映像及び音声再生手段と、前記映像及び音声送信手段と前記映像及び音声再生手段が相互に互いの動作状態を確認するために、前記映像及び音声送信手段と前記映像及び音声再生手段の間で制御データを授受する手段と、前記映像及び音声送信手段に設けられた映像及び音声の外部入力端子と、前記映像及び音声送信手段に設けられた制御信号出力端子とを備え、前記外部入力端子に接続された外部信号源を前記制御信号出力端子からの制御信号で制御することを特徴とする映像及び音声再生装置。
【請求項１４】
放送波を受信し、映像と音声を無線で再送信する映像及び音声送信手段と、前記映像及び音声送信手段の信号を受信して、前記映像信号と前記音声信号を再生する映像及び音声再生手段と、前記映像及び音声送信手段と前記映像及び音声再生手段を遠隔操作する遠隔操作手段とを備え、前記映像及び音声送信手段と前記映像及び音声再生手段は前記遠隔操作手段からの指示を受けて、前記映像及び音声送信手段と前記映像及び音声再生手段の間で制御データの授受を行い、前記映像及び音声送信手段と前記映像及び音声再生手段が相互に互いの動作状態を確認、調停して前記映像信号と前記音声信号を再生することを特徴とする映像及び音声再生装置。
【発明の詳細な説明】
【技術分野】
【０００１】
本発明はテレビ受像機でチューナ部とモニタ部を分離できる再生装置に係わる。モニタ部としては、特に、液晶ディスプレイの他、プラズマディスプレイ、ＥＬディスプレイなど薄型フラットな表示デバイスを用いると好適である。
【背景技術】
【０００２】
近年、その価格の低下とともに省スペース、省電力を特徴とする液晶モニタが、デスクトップでパソコン画面のモニタとして急速に普及してきており、ブラウン管に次ぐ表示装置としてその地位を確立し、さらにブラウン管モニタ市場を呑み込む勢いである。  一般消費者にも、液晶モニタが身近な製品になってきておりＰＣ用モニタとしてだけではなく、そのスタイルを生かしたテレビ受像機としての用途が広がってきている。
【発明の開示】
【発明が解決しようとする課題】
【０００３】
一般に、テレビ受像機では背面などにアンテナ入力端子があり、家屋の壁にあるアンテナ端子と同軸ケーブルで接続するのがほとんどである。従来のブラウン管テレビ受像機では、その重量の大きいこともあり頻繁に移動したりすることはなく、壁際や部屋のコーナー部に置いたままの状態が多い。
【０００４】
一方、液晶テレビではブラウン管式に比べはるかに薄く軽いため、壁に掛けたりスタンドに取り付けて移動したりできるなど設置性の自由度がある。このような液晶テレビにアンテナ用の同軸ケーブルを引きまわすのは、せっかくの設置性の良さを失ってしまうことになる。また、絵画の額のようなインテリア性も損ねるため、できるだけコード等の線材を接続したくないといった要求がある。
【０００５】
このような、要求に対して、例えば、コンポジット信号とステレオ音声信号をワイヤレスで伝送する形式の映像と音声のワイヤレス伝送システムがある。上記システムは送信機にコンポジット信号とステレオ音声信号を入力し、数メートル離れた位置にある液晶テレビに映像と音声を送るもので、送信機にビデオデッキの信号を入力してワイヤレス伝送する形態のものである。もちろん液晶テレビ側には上記送信機に対応した受信機が存在している。
【０００６】
しかし、このシステムにおいて放送波を受信して番組を視聴するには、液晶テレビ本体内蔵のチューナユニットを使う必要があり、結局液晶テレビ本体までアンテナ線を引きまわすことになる。もちろん、ラック等に置かれたビデオデッキにチューナが内蔵されていれば、そのチューナで選局した映像及び音声を上記送信機に入力してワイヤレス伝送すればよいが、チャンネル切換などはビデオデッキ専用リモコンを使うなどビデオデッキ自体を操作する必要があり、必ずしも使い易いとはいえない。
【０００７】
本発明の目的はアンテナ線の引き回しによる設置性を損なうことがない映像及び音声再生装置及びそれを構成するチューナ部及びモニタ部を提供することにある。
【課題を解決するための手段】
【０００８】
本発明は上記問題を鑑みてなされたもので、テレビ受像機のチューナ部とモニタ部を分離し、分離したチューナ部にワイヤレス送信部を設け、選局した映像及び音声をモニタ部にワイヤレス伝送して映像及び音声を再生するようにした。また、チューナ部とモニタ部での間で制御データのやり取りを行い、双方の動作状態のずれをなくすようにした。
これにより、アンテナ線の引き回しによる設置性やインテリア性を損なうこと
なく、使い易い液晶テレビが実現できる。
【０００９】
更に詳細に説明すると、本発明の目的を達成するために、第１の発明では、チューナ部は、チューナ部とモニタ部を設けた映像及び音声再生装置に使用されるチューナ部であって、モニタ部から発信されたデータを受信する手段と、前記データに応じて放送波を選局する手段と、選局処理が終了したことを示すデータと前記選局された映像及び音声信号を発信する手段とを備える。
第１の発明において、表示手段を設け、前記モニタ部からのデータを受信した場合、前記表示手段によって表示するように構成されている。また、前記モニタ部から発信され前記データに基づいて、外部装置を制御するための信号を出力する出力部を設けた。更に、前記データを映像信号に重畳して発信するように構成される。
【００１０】
第２の発明では、モニタ部は、チューナ部とモニタ部を備えた映像及び音声再生装置に使用されるモニタ部であって、リモコンから発信されたデータを受信する手段と、前記データを前記チューナ部に発信する手段と、前記チューナ部から発信された映像信号、音声信号及びデータ信号を受信する手段と、前記映像信号及び音声信号を再生する手段とを備える。
第２の発明において、ＯＳＤ発生回路を設け、前記データに基づいてＯＳＤ発生回路を制御して表示するように構成される。
【００１１】
第３の発明では、映像及び音声再生装置は、モニタ部から発信されたデータを受信する手段、前記データに応じて放送波を選局する手段、選局処理が終了したことを示すデータと前記選局された映像及び音声信号を発信する手段を有するチューナ部と、リモコンから発信されたデータを受信する手段、リモコンから発信された前記データを前記チューナ部に発信する手段、前記チューナ部から発信された前記選局処理が終了したことを示すデータ、前記映像信号及び前記音声信号を受信する手段、前記映像信号及び前記音声信号を再生する手段を有するモニタ部とを備える。
【００１２】
第４の発明では、映像及び音声再生装置は、放送波を受信し、選局した映像信号と音声信号を送信することができる選局部と、前記選局部から送信された映像信号と音声信号とを受信して再生することができる再生部とを備え、前記選局部と前記再生部間でデータの授受が行なわれ、前記選局部での動作の状態を確認して前記再生部で前記映像信号と前記音声信号を再生するように構成される。
【００１３】
第５の発明では、映像及び音声再生装置は、放送波を受信し、映像信号と音声信号を無線で送信することができる映像及び音声送信手段と、前記映像及び音声送信手段の信号を受信し、送信された前記映像信号と前記音声信号を再生する映像及び音声再生手段と、前記映像及び音声再生手段を遠隔操作する遠隔操作手段とを備え、前記映像及び音声再生手段は前記遠隔操作手段からの指示を受け、前記映像及び音声送信手段と前記映像及び音声再生手段の間で制御データの授受を行い、前記映像及び音声再生手段は前記映像及び音声送信手段との動作状態を確認して前記映像信号と前記音声信号を再生するように構成される。
第５の発明において、前記映像及び音声再生手段は前記遠隔操作手段からの選局変更指示を受けたのち前記映像及び音声送信手段に前記選局変更指示を伝達し、前記映像及び音声送信手段から選局変更完了の返答を得た後で、前記映像及び音声再生手段のＯＳＤ発生手段を制御して表示を行うように構成される。
【００１４】
第６の発明では、映像及び音声再生装置は、放送波を受信し、映像信号と音声信号とを無線で送信する映像及び音声送信手段と、前記映像及び音声送信手段の信号を受信し、前記映像信号と前記音声信号を再生する映像及び音声再生手段とを備え、前記映像及び音声送信手段と前記映像及び音声再生手段が相互に互いの動作状態を確認するために、前記映像及び音声送信手段と前記映像及び音声再生手段の間で授受を行う制御データの内、前記映像及び音声送信手段から前記映像及び音声再生手段に送る制御データを、前記映像及び音声送信手段から送信する映像信号の帰線期間に重畳して送信するように構成される。
【００１５】
第７の発明では、映像及び音声再生装置は、放送波を受信し、映像信号と音声信号とを無線で送信する映像及び音声送信手段と、前記映像及び音声送信手段の信号を受信し、前記映像信号と前記音声信号を再生する映像及び音声再生手段と、前記映像及び音声送信手段と前記映像及び音声再生手段が相互に互いの動作状態を確認するために前記映像及び音声送信手段と前記映像及び音声再生手段の間で制御データの授受を行う手段と、前記映像及び音声送信手段に設けられた表示手段とを備え、前記制御データの授受に基づいて、前記映像及び音声送信手段と前記映像及び音声再生手段との間の接続状態を前記表示手段に表示するように構成される。
【００１６】
第８の発明では、映像及び音声再生装置は、放送波を受信し、映像と音声を無線で送信する映像及び音声送信手段と、前記映像及び音声送信手段の信号を受信し、前記映像前記映像及び音声送信手段と前記音声前記映像及び音声送信手段を再生する映像及び音声再生手段と、前記映像及び音声送信手段と前記映像及び音声再生手段が相互に互いの動作状態を確認するために、前記映像及び音声送信手段と前記映像及び音声再生手段の間で制御データを授受する手段と、前記映像及び音声送信手段に設けられた映像及び音声の外部入力端子と、前記映像及び音声送信手段に設けられた制御信号出力端子とを備え、前記外部入力端子に接続された外部信号源を前記制御信号出力端子からの制御信号で制御するように構成される。
【００１７】
第９の発明では、映像及び音声再生装置は、放送波を受信し、映像と音声を無線で再送信する映像及び音声送信手段と、前記映像及び音声送信手段の信号を受信して、前記映像信号と前記音声信号を再生する映像及び音声再生手段と、前記映像及び音声送信手段と前記映像及び音声再生手段を遠隔操作する遠隔操作手段とを備え、前記映像及び音声送信手段と前記映像及び音声再生手段は前記遠隔操作手段からの指示を受けて、前記映像及び音声送信手段と前記映像及び音声再生手段の間で制御データの授受を行い、前記映像及び音声送信手段と前記映像及び音声再生手段が相互に互いの動作状態を確認、調停して前記映像信号と前記音声信号を再生するように構成されている。
【発明の効果】
【００１８】
選局した映像信号及び音声信号をモニタ部にワイヤレス伝送して映像信号及び音声を再生することができるため、アンテナ線の引き回しによる設置性を損なうことがない。
【発明を実施するための最良の形態】
【００１９】
以下、本発明の実施の形態を、幾つかの実施例を用い、図を参照して説明する。
図１は本発明による映像及び音声再生装置の第１の実施例を示す概略図である。図において、１はチューナ部、２はモニタ部、３、４は受発光部、５はリモコン、６はＶＴＲ、ＤＶＤ等の信号源、７はアンテナである。
【００２０】
内部の具体的構成例は後述するとして、まず全体の概略動作を図１を使って説明する。  同図においてアンテナ７で受信した放送波はチューナ部１に送られ、所定のチャンネルが選局される。選局されたチャンネルの映像信号と音声信号が受発光部３で光信号として送信される。この光信号は、可視光でも不可視光でもよいがここでは一般的に使われる赤外線を前提に説明する。
送信された映像、音声の光信号は受発光部４で受信されモニタ部２およびスピーカ（図示せず）で再生される。チューナ部１とモニタ部２との間では映像、音声信号の一方向伝送の他に、双方で制御データのやり取りを行うことにより、チューナ部１とモニタ部２の動作状態を相互確認できるようにしている。この相互確認の機能を持たせているため、例えばリモコン５からモニタ部２に対してチャンネル切換の指示が出た場合、その切換指示をチューナ部１に伝達するが、チューナ部１で無事に切り換えられたことをモニタ部２に伝え、モニタ部２のＯＳＤにてチャンネル表示、例えば図に示すように、モニタ部２の画面にチャンネル番号を表示することが可能となる。
【００２１】
上記時間の流れと各部の動作状態を図２を用いて説明する。  図２はリモコン、モニタ部及びチューナ部の正常な処理フローを示すフロー図である。図において、リモコン５がチャンネル切換要求を発生すると、これを受けたモニタ部２は再送処理を経た後、チューナ部１へチャンネル切換要求を伝達するとともに回答待ち状態にする。ここで、再送処理とは、例えばリモコンからの信号を増幅し、バンドパスフィルタを通してリモコン信号のエンベロープを取るような処理を言う。チューナ部１ではチャンネル切換要求を受け、具体的にチャンネル切換処理を行い、それが正常に終了したことをモニタ部２に回答する。
モニタ部２は回答待ちの状態にあり、チューナ部１の回答が到着した時点でＯＳＤ表示にて選局後のチャンネル表示を行う。
【００２２】
図３はリモコン、モニタ部及びチューナ部の処理フローにおいて、モニタ部とチューナ部の間で回線が切れている場合の処理フローを示すフロー図である。モニタ部２とチューナ部１の間で回線が切れている場合モニタ部２からのチャンネル要求がチューナ部１に伝わらないため、正常終了の回答がモニタ部２に帰ってこない。モニタ部２では一定時間回答待ちしても回答がない場合はタイムアウトとしてチャンネル切換ができていないと判断しＯＳＤ表示等を行わないようにするか、又はチャンネル切換ができないことをモニタ部２に表示する。
このうように、本実施例においては、映像及び音声信号の一方向伝送の他に、双方で制御データのやり取りを行うことができるので、チューナ分離型でも一体型と同じような使い勝手の良さを実現することができる。
【００２３】
以下、チューナ部の具体的構成例を図４を用い、モニタ部の具体的構成例を図５を用いて説明する。
図４は本発明によるチューナ部の第１の実施例を示すブロック図である。図において、チューナ部１０１には７はアンテナ及び信号源６が接続されている。チューナ部において、１０はチューナ、１１は映像検波回路、１２は音声検波回路、１３は音声多重復調回路、１４は切換回路、１５は制御回路、１６〜１８は変調回路、１９は加算回路、２０は発光手段、２１は受光手段、２２はフィルタ回路、２３は復調回路である。
【００２４】
アンテナ７で受信された放送は、チューナ１０でチャンネル選局され、中間周波数が映像検波回路１１、音声検波回路１２に送られる。映像検波回路１１では入力された中間周波数からコンポジット映像信号を検波、出力し切換回路１４に入力する。音声検波回路１２では入力された中間周波数から音声信号を検波、出力し音声多重復調回路１３を経由して切換回路１４に入力する。音声多重復調回路１３ではステレオ音声などを出力する。切換回路１４ではアンテナ７から入力された映像音声系信号とチューナ部１０１の外部に接続された信号源６からの映像音声入力を切り換える。切換制御信号は制御回路１５から入力される。制御回路１５はマイコンで構成でき切換回路１４の切換制御のほか、チューナ１０での選局制御、音声多重復調回路での復調指示などを行う。
【００２５】
切換回路１４で切換えられた映像信号は変調回路１６で、音声信号は変調回路１７で変調され加算回路１９に入力される。変調回路１６、変調回路１７は例えば日本電子機械工業会規格の「赤外線空間アナログ映像伝送システム」  ＥＩＡＪ  ＣＰ−１２０７、「赤外線空間アナログ音声伝送システム」  ＥＩＡＪ  ＣＰ−１２０６に則りＦＭ変調すれば良い。
なお、副搬送波周波数割り当ては同じく日本電子機械工業会規格の「赤外線空間伝送システムの副搬送波周波数割当」ＥＩＡＪ  ＣＰ−１２０５で決められた周波数を使用すれば良い。ちなみに、上記周波数割当は後述する図６のようになっており、映像信号はバンドV、音声信号はバンドIVに決められている。
【００２６】
一方、変調回路１８では制御回路１５からのデータ信号を変調し加算回路１９に入力する。加算回路１９は変調回路１６〜１８の出力を加算し、発光手段２０に入力する。発光手段２０は発光ダイオード等でよく、加算回路１９の出力で輝度変調された光信号が空間に放射される。もちろんこの光信号には映像、音声とデータ信号が多重されていることは言うまでもない。
【００２７】
図５は本発明によるモニタ部の第２の実施例を示すブロック図である。図５のモニタ部１０２において、３０は受光手段、３１〜３３はフィルタ回路、３４〜３６は復調回路、３７は映像処理回路、３８は映像合成回路、３９はＯＳＤ発生回路、４０は表示ユニット、４１は音声処理回路、４２はスピーカ、４３は受光手段、４４はフィルタ回路、４５は復調回路、４６は制御回路、４７は変調回路、４８は発光手段である。なお、５０はリモコンである。
【００２８】
モニタ部１０２では受光手段３０で映像、音声及びデータ系の多重された信号を受光し、フィルタ回路３１〜３３のそれぞれで、映像系、音声系、データ系に分離しそれぞれの復調回路３４〜３６に入力する。復調回路３４では変調回路１６に対応してＦＭ変調された映像信号を復調し、映像信号を出力する。復調回路３５では変調回路１７に対応してＦＭ変調された音声信号を復調し、音声信号を出力する。復調回路３６では変調回路１８に対応してデータ信号を復調し、データ信号を出力する。
【００２９】
復調回路３４から出力された映像信号は、映像処理回路にて表示ユニット４０で表示するための信号処理を施す。図示しないが、例えばコンポジット信号を輝度信号、色信号に分離し、さらにビデオクロマデコーダ回路で色復調してＲＧＢ原色信号に変換し、表示ユニットの表示解像度にあわせて拡大処理を施す。これら一連の処理はブラウン管受像機で一般的な処理である。
映像処理回路３７の出力は、ＯＳＤ発生回路３９で発生したＯＳＤ信号と映像合成回路３８で合成され表示ユニット４０に入力される。ＯＳＤ表示は画面上にチャンネル番号を表示する機能であり、一般化しているものである。
【００３０】
音声処理回路４１は、復調回路３５からの音声信号の増幅度、左右バランス、音質調整などを制御するブロックであり、この出力でスピーカシステム４２を駆動する。制御回路４６は映像処理回路３７、音声処理回路４１、ＯＳＤ発生回路３９の制御を行う。映像処理回路３７に対しては、例えば映像信号のコントラスト、ブライトあるいは色相や彩度などの調整指示を行う。音声処理回路４１に対しては音量、左右バランス、音質調整指示を行う。ＯＳＤ発生回路３９に対してはＯＳＤ発生内容の指示を行う。なお、制御回路４６はマイコンで構成すればよい。
【００３１】
いうまでもないが、使用者は表示ユニット４０の映像とスピーカシステム４２の音声を視聴する。
【００３２】
一方、リモコン５０からの信号は受光手段４３で受光され、その出力がフィルタ回路４４でリモコン５０の副搬送波周波数に対応する周波数帯域だけをろ波し、復調回路４５でデータ信号を再生する。再生されたデータは制御回路４６で解釈され、リモコン５０からの指示を実行する。このリモコン５０の指示は、例えば、音量調節やコントラスト調節であり、上記で説明した要領で映像処理回路３７、音声処理回路４１に指示を出せば良い。  また、制御回路４６は変調回路４７、発光手段４８を介してデータをチューナ部１０１に向けて発射できるようになっており、モニタ部１０２からチューナ部１０１へ向けた上りの制御データ回線である。 発光手段２０で発射された映像信号、音声信号、下りのデータ信号と、発光手段４８で発射された上りのデータ信号の周波数分布例を図６、図７を用いて説明する。
【００３３】
図６は副搬送波の周波数割当の一実施例を示す特性図、図７は副搬送波の周波数割当の他の実施例を示す特性図であり、横軸に副搬送波周波数（Ｈｚ）をしめす。
図６、図７において映像はバンドV、音声はバンドIV、リモコン５０はバンドIを使用することは共通であり、上りデータと下りデータの割当だけが異なる。ここで、上りデータとは図１において、モニタ部２からチューナ部１に送信されるデータであり、下りデータとはチューナ部１からモニタ部２に送信されるデータを言う。
【００３４】
図６では上りデータと下りデータはバンドIIIに割り当てている。高速データ伝送が可能であリ、モコン５０の副搬送波周波数と干渉しにくいメリットがある。ただし、映像、音声の周波数帯に近いため、データ信号のスプリアスを十分抑圧する必要がある。  図７では上りデータと下りデータはバンドIに割り当てている。この場合、リモコン５０の副搬送波周波数との干渉が起きないようコードの割当などを工夫する必要はあるが、変復調デバイスは既存リモコンで使われている汎用品でよく低コストで実現できる。
【００３５】
以上説明したように、分離したチューナ部１０１にアンテナ線を接続して選局し、その選局した映像・音声をワイヤレス伝送し、モニタ部１０２で受信して映像・音声を再生するようして、アンテナ線の引き回しによる設置性やインテリ性を損なうことなく、使い易い液晶テレビを実現できる。
また、チューナ部１０１とモニタ部１０２との間で制御データのやり取りを行うことで、双方の動作状態のずれをなくすようにすることができる。
【００３６】
以下、図８、図９を用いて本発明による映像及び音声再生装置の第２の実施例について説明する。
図８は本発明によるチューナ部の第２の実施例を示すブロック図である。  図８のチューナ部２０１において、映像信号発生回路５１、データ合成回路５２、映像信号検出回路５３、制御回路１１５が設けられている。図４と同じブロックには同一番号を付ける。
【００３７】
本実施例の特徴は、下りデータを映像信号帰線期間に重畳して送信することにあり、この点を中心に説明し、図４で述べた内容に関しての説明は省略する。 図８のデータ合成回路５２では、切換回路１１４で切換えられた映像信号と制御回路１１５からの制御データとを合成する。変調回路１６では、映像信号と映像信号に重畳された制御データとが映像ＦＭ変調される。変調回路１７でＦＭ変調された音声信号と変調回路１６の出力は加算回路１１９で加算され発光手段２０で空間に放射される。上記のように、下りデータは図４のようにデータそれ自身を単独で変調するのではなく、映像信号に重畳した上で映像信号とともに変調されている。
【００３８】
図１０にデータ合成回路５２の回路構成例を示し、これについて説明する。 図１０はデータ合成回路の一実施例を示すブロック図である。 図において、６０はクランプ回路、６１は基準電源、６２、６３は切換回路、６４は基準電源、６５は同期分離回路、６６は制御回路、６７はＰＬＬ回路、６８はＡＮＤ回路、６９はパラレル／シリアル（Ｐ／Ｓと記す）変換回路である。
【００３９】
端子８０に印加された映像信号はクランプ回路６０と同期分離回路６５に入力される。クランプ回路６０は映像信号の直流再生を行う回路であり、映像信号クランプレベルは基準電源６１の値になる。制御回路６６からのクランプ信号タイミングでクランプされる。
制御回路６６には同期分離回路６５で映像信号から分離された水平同期信号Ｈと垂直同期信号Ｖ、および水平同期信号をＰＬＬ回路で逓倍して生成したクロック信号が入力され、上記説明したクランプ信号のほか、Ｐ／Ｓ回路６９用のデータロード信号（ＬＤ信号と記す）、ゲート信号（Ｇａｔｅ信号と記す）を生成する。
【００４０】
なお、理解しやすくするために図１２のタイミングチャートを参照しながら説明する。
図１２は映像信号へのデータの重畳と分離を説明するための信号波形図であり、図１２（ａ）はチューナ部の信号波形図、１２（ｂ）はモニタ部の信号波形図である。 図１２（ａ）において、（１）はクランプ回路６０の出力信号波形図であり、２５１は水平同期信号、２５２は映像信号である。（２）は制御回路６６から出力されるＬＤ信号２５３であり、Ｐ／Ｓ回路６９はこのＬＤ信号２５３のタイミングでラッチされる。（３）は制御回路６６から出力されるＧａｔｅ信号２５４であり、Ｇａｔｅ信号２５４は切換回路６２に供給されると共に、このＧａｔｅ信号２５４の期間中、Ｐ／Ｓ回路６９にクロック信号を供給する。（４）はＰ／Ｓ回路６９の内部の信号状態を示しており、Ｐ／Ｓ回路６９はＬＤ信号２５３によって状態が切り換り、Ｇａｔｅ信号２５４の期間中クロック信号によって、デ
ータがパラレルからシリアルに変換される。（５）はＰ／Ｓ回路６９の出力信号であり、シリアル信号に変換されたデータ２５５である。（５）はデータ合成回路５２の出力信号、すなわち端子８１の信号である。この信号は（１）に示すクランプ回路６０の出力信号の一部をＧａｔｅ信号２５４に置き換え、その部分にシリアルに変換されたデータ２５５が重畳されている。
【００４１】
さらに詳細に説明すると、図１０のクランプ回路６０の出力に対応するのは、図１２（ａ）の（１）クランプ出力波形である。Ｇａｔｅ信号２５４がＬ（ロウ）の間、切換回路６２はクランプ回路６０の出力端子Ｌに接続されており、Ｇａｔｅ信号２５４がＨの場合、切換回路６２は端子Ｈに接続され、基準電源６１の電圧が出力される。これは、クランプ回路６０の出力の内、データが重畳される部分に何らかの信号、または雑音が混入されるのを防ぐためである。
【００４２】
Ｐ／Ｓ回路６９にはＬＤ信号タイミングでデータがラッチされており、Ｇａｔｅ信号が“Ｈ”の期間ラッチされた上記データが、シリアルデータに変換されて出力される。Ｐ／Ｓ回路６９から出力されたシリアルデータによって、切換回路６３はオン、オフを繰り返す。この切換回路６３がオン、オフを繰り返す期間はＧａｔｅ信号が“Ｈ（ハイ）”の期間だけである。従って、図１２（ａ）の（１）のデータ合成出力波形のように、ライン番号１７の位置にデータが重畳される。
【００４３】
以上のようにして、図８及び図１０のデータ合成回路５２でデータを映像信号に重畳することができる。
なお、もし映像信号がデータ合成回路５２に入力されない場合、データ重畳が不可能になってしまうため、映像信号のない場合は、切換回路１１４で映像信号発生回路５１を選択して強制的に映像信号をデータ合成回路５２に入力するようにしている。  映像信号の有無は映像信号検出回路５３で行い、判定結果を制御回路１１５に入力する構成で良い。映像信号検出回路５３は、図示しないが、例えば同期分離回路を用いればよく、分離した水平同期信号Ｈを積分して、積分結果が一定値以上にあるか否の判定をすればよい。
【００４４】
次に図９のモニタ部２０２について説明する。  図９は本発明によるモニタ部の第２の実施例を示すブロック図である。図９において、モニタ部２０２には、データ分離回路５４、同期分離回路５５、制御回路１４６が設けられる。その他、図５と同じブロックには同一番号を付す。  図５ではデータが重畳された映像信号は復調回路３４から出力され、データ分離回路５４で映像信号に重畳されたデータを分離し、制御回路１４６に入力して
いる。図９において、図５で述べたブロックの内容に関してはその説明を省略する。
【００４５】
次に、図１１を用いてデータ分離回路の回路構成例について説明する。  図１１はデータ分離回路の一実施例を示すブロック図である。図１１において、７０はクランプ回路、７１は基準電源、７２は比較回路、７３は比較電源、７４は同期分離回路、７５は制御回路、７６はＰＬＬ回路、７７はＡＮＤ回路、７８は切換回路である。
【００４６】
端子８２に印加されたデータの重畳された映像信号はクランプ回路７０と同期分離回路７４に入力される。クランプ回路７０は映像信号の直流再生を行う回路であり、映像信号のクランプレベルは基準電源７１の値になる。クランプ回路７０は制御回路７５からのクランプ信号タイミングでクランプされる。
制御回路７５には同期分離回路７４で映像信号から分離された水平同期信号Ｈと垂直同期信号Ｖ、および水平同期信号をＰＬＬ回路７６で逓倍して生成したクロック信号が入力される。制御回路７５は上記説明したクランプ信号のほか、切換回路７８用のゲート信号（Ｇａｔｅ信号と記す）を生成する。クランプ回路７０の出力は比較回路７２に入力され、比較電源７３のレベルをしきい値として２値化される。なお、理解しやすくするために図１２（ｂ）の波形図を参照して説明する。
【００４７】
図１２（ｂ）において、（１）はクランプ回路７０の出力波形であり、映像信号にデータ２５５が重畳されている。（２）は比較回路７２の出力波形であり、クランプ回路７０の出力波形を比較電源７３の電源をしきい値として２値化されたものであり、映像信号２５２とデータ２５５とが含まれている。（３）はＧａｔｅ信号２５６であり、切換回路７８に供給される。（４）は端子８３に取り出されたデータ２５５である。
（２）に示す比較回路７２の出力波形は、切換回路７８の一端Ｈに入力される。（３）に示す制御回路７５のＧａｔｅ信号２５６は、この信号がＬ（ロウ）の、切換回路７８を端子Ｌに切換え、Ｈ（ハイ）の時には、切換回路７８を端子Ｈに切換る。従って、切換回路７８の出力はＧａｔｅ信号が“Ｈ（ハイ）”の間比較回路７２の出力になり、端子８３には（４）に示すデータ２５５が分離されて出力される。
このよにして、データ分離回路５４で映像信号に重畳されたデータ２５５を分離することができる。なお、データ分離回路５４の出力は制御回路１４６に入力され、データ内容が解釈される。
【００４８】
次に本第２実施例における、発光手段２０で発射された映像信号、音声信、下りのデータ信号と、発光手段４８で発射された上りのデータ信号の周波数分布例を図１３〜１５を用いて説明する。
図１３〜１５は副搬送波の周波数割当の更に他の実施例を示す特性図であり、横軸に副搬送波周波数（Ｈｚ）をしめす。  図１３〜１５においてデータ重畳した映像はバンドV、音声はバンドIV、リモコンはバンドIを使用することは共通であり、上りデータの割当だけが異なる。  図１３では上りデータはバンドIIIに割り当てられており、下りデータは映像信号に重畳されて、バンドVに割り当てられている。この周波数割当では高速データ伝送が可能であり、リモコン５０の副搬送波と干渉しにくいメリットがある。ただし、映像、音声の周波数帯に近いため、データ信号のスプリアスを十分抑圧する必要がある。
【００４９】
図１４では上りデータはバンドIに割り当てられており、下りデータは映像信号に重畳されている。この周波数割当ではリモコン５０の副搬送波との干渉が起きないようコードの割当などを工夫する必要はあるが、変復調デバイスは既存リモコンで使われている汎用品でよく低コストで実現できる。
【００５０】
図１５では、上りデータは映像信号と同じバンドVに割り当てられている。下りデータは映像信号に重畳されている。この周波数割当では、上りデータは映像信号とは逆向きの方向なので干渉は少ないが、上りデータを送信するタイミングを例えば図１２のライン番号１８の期間にするなどの時分割方式にすることでこの干渉はの影響はさらに軽減できる。
【００５１】
図９において、同期分離回路５５を用いて水平同期信号Ｈ、垂直同期信号Ｖを制御回路１４６に入力して入るのは、上記時分割方式を実施する場合のタイミング用パルスとするためである。
【００５２】
以上説明したように、分離したチューナ部１にアンテナ７を接続して選局し、その選局した映像信号及び音声信号をワイヤレス伝送し、モニタ部２で受信して映像信号及び音声信号を再生するようして、アンテナ線の引き回しによる設置性やインテリ性を損なうことなく、使い易い液晶テレビを実現できる。
【００５３】
本発明による映像及び音声再生装置の第３の実施例について図１６を用いて説明する。
図１６は本発明によるチューナ部の第３の実施例を示すブロック図である。図１６のチューナ部３０１では図４のチューナ部１０１の構成に表示手段９０を付加し、制御回路２１５で制御できるようにしたものであり、図４と同じブロックには同一番号を付している。
本実施例の特徴は、受光手段２１を介して受け取ったモニタ部２からの上りデータに基づき、チューナ部１とモニタ部２の回線接続状態を表示することにある
。
【００５４】
図１においてチューナ部１の据え付けの際、モニタ部２に発光手段３を向けるがその方向が合っているのか否か判断しにくい。そこで、モニタ部２からの戻りのデータ信号を受け取ったことを表示手段９０で表示することによって、チューナ部１の据え付け方向が合っていることを確認することができる。その他、信号処理など、図４で述べた内容に関しての説明は省略する。  本実施例によれば、据え付け作業がし易くなり、ユーザの使い勝手を向上させ
ることができる。
【００５５】
本発明による映像及び音声再生装置の第４の実施例を図１７を用いて説明する。  図１７は本発明によるチューナ部の第４の実施例を示すブロック図である。図１７では、図４のチューナ部１０１の構成に制御信号出力端子９１を付加し、制御回路２１５で外部信号源１０６を制御できるようにしたものであり、図４と同じブロックには同一番号を付してその説明を省略する。
本実施例の特徴は、受光手段２１を介して受け取ったモニタ部２からの上りデータに基づき、外部信号源１０６をリモコン５で操作できるようにした点にある。
【００５６】
図１において、例えばＶＴＲの再生、停止など信号源６の制御をリモコン５行うものであり、ユーザの使い勝手が格段に向上できる。リモコン５からの制御指示はモニタ部１を経てチューナ部４０１に伝達され、受光手段２１、フィルタ２２、復調回路２３を介して制御回路３１５に入力される。制御回路３１５では、リモコン５の制御指示を基に、信号源１０６の制御信号を生成し、制御信号出力端子９１に出力する。制御信号出力端子９１と信号源１０６の接続は、信号源１０６に制御信号入力端子がある場合、有線接続すればよい。信号源１０６に制御信号入力端子のない場合、例えば、チューナ部４０１に制御信号出力を赤外線信号に変換する装置を設け、信号源１０６のリモコン受光窓の近傍に設置すればよい。上記、制御信号出力を赤外線信号に変換する装置としては例えば日立製作
所製の衛星放送受信セットＣＳ−ＳＰ８０Ｓ付属品（スカイパーフェクＴＶ！受信セットカタログ'９８−１２）のビデオコントローラを用いれば良い。このビデオコントローラまたは同等品は各社から発売されており、一般によく知られたものである。チューナ部４０１のその他信号処理など、図４で述べた内容に関しての説明は省略する。 本実施例によれば、モニタ部用のリモコンで外部の信号源が制御できユーザの使い勝手を向上させることができる。
【００５７】
本発明による映像及び音声再生装置の第５の実施例を図１８を用いて説明する。
図１８は本発明による映像及び音声再生装置の第５の実施例を示す概略図である。図１８ではリモコン５の受光処理をモニタ部２だけでなくチューナ部５０１でもできるようにしたことである。チューナ部５０１の具体的構成は図１と同じで良く、図４の制御回路１５でリモコン５の信号処理ができるようにリモコンのコード情報を追加しておけばよい。その他信号処理など、第１実施例で述べたものと同じであるので説明は省略する。
【００５８】
本実施例によれば、モニタ部だけでなく、チューナ部でもリモコン５の信号を受け取ることができユーザの使い勝手が向上できる。
本発明によれば、液晶テレビ等の受像機のチューナ部とモニタ部を分離し、チューナ部からモニタ部に映像信号及び音声信号を伝送するとともに、チューナ部とモニタ部の間で制御データのやり取りを行い、双方の動作状態のずれをなくすようにした。これにより、分離したチューナ部にアンテナ線を接続して選局し、その選局した映像信号と音声信号とをモニタ部にワイヤレス伝送して映像信号及び音声信号を再生できるようになり、アンテナ線の引き回しによる設置性やインテリア性を損なうことなく、使い易い映像及び音声再生装置を実現することができる。
【図面の簡単な説明】
【００５９】
【図１】本発明による映像及び音声再生装置の第１の実施例を示す概略図である。
【図２】リモコン、モニタ部及びチューナ部の正常な処理フローを示すフロー図である。
【図３】リモコン、モニタ部及びチューナ部の処理フローにおいて、モニタ部とチューナ部の間で回線が切れている場合の処理フローを示すフロー図である。
【図４】本発明によるチューナ部の第１の実施例を示すブロック図である。
【図５】本発明によるモニタ部の第２の実施例を示すブロック図である。
【図６】副搬送波の周波数割当の一実施例を示す特性図である。
【図７】副搬送波の周波数割当の他の実施例を示す特性図である。
【図８】本発明によるチューナ部の第２の実施例を示すブロック図である。
【図９】本発明によるモニタ部の第２の実施例を示すブロック図である。
【図１０】データ合成回路の一実施例を示すブロック図である。
【図１１】データ分離回路の一実施例を示すブロック図である。
【図１２】映像信号へのデータの重畳と分離を説明するための信号波形図である。
【図１３】副搬送波の周波数割当の更に他の実施例を示す特性図である。
【図１４】副搬送波の周波数割当の更に他の実施例を示す特性図である。
【図１５】副搬送波の周波数割当の更に他の実施例を示す特性図である。
【図１６】本発明によるチューナ部の第３の実施例を示すブロック図である。
【図１７】本発明によるチューナ部の第４の実施例を示すブロック図である。
【図１８】本発明による映像及び音声再生装置の第５の実施例を示す概略図である。
【符号の説明】
【００６０】
１…チューナ部、２…モニタ部、３…送受信部、４…送受信部、５…リモコン
、６…信号源、７…アンテナ、１０…チューナ回路、１１…映像検波回路  １２
…音声検波回路、１３…音声多重復調回路、１４…切換回路、１５、４６…制御
回路、１６、１７、１８、４７…変調回路、１９…加算回路、２０、４８…発光
手段、２１、３０、４３…受光手段、２２、３１、３２、３３、４４…フィルタ
、２１、３４、３５、３６、４５…復調回路、３７…映像処理回路、３８…合成
回路、３９…ＯＳＤ発生回路、４０…表示ユニット、４１…音声処理回路、４２
…スピーカシステム。
【図１】
2004350328.tif 000003
【図２】
2004350328.tif 000004
【図３】
2004350328.tif 000005
【図４】
2004350328.tif 000006
【図５】
2004350328.tif 000007
【図６】
2004350328.tif 000008
【図７】
2004350328.tif 000009
【図８】
2004350328.tif 000010
【図９】
2004350328.tif 000011
【図１０】
2004350328.tif 000012
【図１１】
2004350328.tif 000013
【図１２】
2004350328.tif 000014
【図１３】
2004350328.tif 000015
【図１４】
2004350328.tif 000016
【図１５】
2004350328.tif 000017
【図１６】
2004350328.tif 000018
【図１７】
2004350328.tif 000019
【図１８】
2004350328.tif 000020